(57)【要約】  ノート型またはタブレット型パーソナルコンピュータなど携帯機器中の燃料電池（１２０）の操作効率を改善する方法である。操作効率は、陽極部分（１２１）に使用する液体メタノールを加熱するためのパーソナルコンピュータ中のＣＰＵまたは他の構成要素によって生成される熱を使用することにより改善される。液体メタノールは、導管（１３４）を経由して補充ユニット（１１０）から燃料電池まで移送される際に加熱される。導管はＣＰＵ放熱板に近接する、あるいは放射または対流によって放熱板中の液体メタノールを加熱するための放熱板に近接して配置される熱交換器（１３０）に埋め込み可能である。さらに、導管中の液体メタノールを加熱するために放熱板周囲の熱空気を導き、また燃料電池の陰極部分（１２２）に加熱空気を供給するためのファンが使用される。
2007527594.tif 000002
【特許請求の範囲】
【請求項１】
携帯電子装置中の燃料電池の動作効率を改善する方法であって、前記該燃料電池は、
液体燃料成分を収容するための電池室と、
前記液体燃料成分を活性化して前記携帯電子装置中に電気を発生するために前記電池室に隣接して配設された燃料活性化ユニットとを備え、前記方法は、
加熱された燃料部を提供するために前記液体燃料成分の少なくとも一部を加熱することと、
活性化のために、前記加熱された燃料部を前記電池室中の前記燃料活性化ユニットに投入することを特徴とする方法。
【請求項２】
前記燃料電池が、
前記燃料電池室の異なる側に前記燃料活性化ユニットに隣接して配設された、さらに他の燃料成分を収容するためのさらに他の電池室をさらに備え、前記方法は、
加熱されたさらに他の燃料部を提供するためにさらに他の燃料成分の少なくとも一部を加熱することと、
さらに加熱された燃料部をさらに他の電池室中の燃料活性化ユニットに投入することとをさらに特徴とする請求項１に記載の方法。
【請求項３】
前記携帯電子装置は少なくとも１個の熱を発生する電子部品を含み、前記加熱工程は前記少なくとも１個の電子部品によって発生した熱を用いることを特徴とする請求項１または２記載の方法。
【請求項４】
前記携帯電子装置は、前記電子部品から前記熱の少なくとも一部をチャンネルで取り去るために前記電子部品に対して配設された熱除去デバイスを備え、前記熱除去デバイスによってチャンネルで取り去られた熱は前記加熱に使用されることを特徴とする請求項２または３記載の方法。
【請求項５】
前記液体燃料成分は実質上アルコールと水の混合物を含む請求項１、２、３または４記載の方法。
【請求項６】
前記燃料電池は直接メタノール燃料電池を含み、前記アルコールは実質上メタノールを含む請求項５記載の方法。
【請求項７】
前記活性化ユニットは、前記電池室中のアルコールを活性化するためのメンブレン電極組み立て体を備える請求項５記載の方法。
【請求項８】
前記活性化ユニットは、メンブレン電極組み立て体を備え、前記液体燃料成分は実質上アルコールと水の混合物を含み、さらに他の燃料成分は実質上空気を含む請求項２記載の方法。
【請求項９】
前記携帯電子装置は、前記液体燃料成分を貯蔵し、前記補給ユニットと前記電池室を動作上接続する燃料導管を経由して前記液体燃料成分を前記燃料電池中の前記電池室に輸送するための補給ユニットを備え、前記液体燃料成分が前記燃料電池中の前記電池室に輸送される際に、前記液体燃料成分の一部は前記燃料導管によって加熱されることを特徴とする請求項１、２、３、４、５、６、７または８記載の方法。
【請求項１０】
前記携帯電子装置は、熱を発生する少なくとも１個の電子部品と、前記電子部品から熱の少なくとも一部をチャンネルで取り去るために前記電子部品に対して配設された熱除去デバイスを備え、前記液体燃料成分の一部が前記熱除去デバイスによってチャンネルで取り去られた熱を用いて前記導管によって加熱されるように、前記燃料導管の少なくとも一部が前記熱除去デバイスの近傍に配設されることを特徴とする請求項９記載の方法。
【請求項１１】
前記燃料導管の少なくとも一部は、前記熱除去デバイスによってチャンネルで取り去られた熱が燃料導管中の前記液体燃料成分の一部を前記熱交換器によって加熱するように、前記熱除去デバイスの近傍に配設された熱交換器中に配設されることを特徴とする請求項１０記載の方法。
【請求項１２】
前記熱交換器は、前記熱除去デバイスによってチャンネルで取り去られた熱が伝導によって前記熱交換器を加熱するように、前記熱除去デバイスに接触して配設されることを特徴とする請求項１１記載の方法。
【請求項１３】
前記熱交換器は、前記熱除去デバイスによってチャンネルで取り去られた熱が輻射または対流によって前記熱交換器を加熱するように、熱除去デバイスに隣接して配置されることを特徴とする請求項１１記載の方法。
【請求項１４】
前記熱除去デバイスはヒートシンクを備えることを特徴とする請求項４記載の方法。
【請求項１５】
前記携帯電子装置中の前記少なくとも１個の電子部品はＣＰＵである請求項３記載の方法。
【請求項１６】
前記熱除去デバイスは、前記ＣＰＵによって生成された熱をチャンネルで取り去るようにＣＰＵに接触して配設されたヒートシンクを備えることを特徴とする請求項１５記載の方法。
【請求項１７】
前記熱除去デバイスは、前記ＣＰＵによって生成された熱をチャンネルでさらに取り去るために前記ヒートシンクの近傍に配設された空気ブロアをさらに備えることを特徴とする請求項１６記載の方法。
【請求項１８】
前記熱除去デバイスは空気ブロアを備えることを特徴とする請求項４記載の方法。
【請求項１９】
前記携帯電子装置は、熱を発生する少なくとも１個のＣＰＵと、前記ＣＰＵによって発生した熱をチャンネルで取り去るために前記ＣＰＵに対して配置された熱除去デバイスとを備え、前記燃料電池は前記さらに他の電池室中に副生成物として水も生成し、前記方法は、前記熱除去デバイスによってチャンネルで取り去られる熱を用いて、前記さらに他の電池室から副生成物の水の少なくとも一部を除去することをさらに特徴とする請求項７記載の方法。
【請求項２０】
前記携帯電子装置はノートブックコンピュータを含む請求項１記載の方法。
【請求項２１】
前記携帯電子装置はタブレットパーソナルコンピュータを含む請求項１記載の方法。
【請求項２２】
前記加熱された燃料部は実質上５０℃〜８５℃の温度範囲の温度を有する請求項５記載の方法。
【請求項２３】
前記携帯電子装置に使用するための燃料電池システムであって、前記携帯電子装置は熱を発生する少なくとも１個の電子部品を備え、
第１液体燃料成分を収容するための第１電池室と、
第２燃料成分を収容するための第２電池室と、
前記第１および第２燃料成分の少なくとも１種を活性化して電気を発生するために前記第１電池室と第２電池室のあいだに配設されたメンブレン電極組み立て体とを含む燃料電池と、
前記第１成分を貯蔵するための燃料補給ユニットと、
前記第１液体燃料成分を前記燃料補給ユニットから前記燃料電池に輸送するために、前記補給ユニットと前記燃料電池を動作上接続する燃料導管とを備え、前記燃料導管の少なくとも一部は、前記第１液体燃料成分が前記燃料導管中を輸送されるあいだに、前記少なくとも１個の電子部品によって発生した熱が前記第１液体燃料成分の少なくとも一部の温度を上昇させるように、前記少なくとも１個の電子部品の近傍に配設されることを特徴とする燃料電池システム。
【請求項２４】
前記第１燃料成分は実質上アルコールと水の混合物を含むことを特徴とする請求項２３記載の燃料電池システム。
【請求項２５】
前記アルコールは実質上メタノールを含むことを特徴とする請求項２４記載の燃料電池システム。
【請求項２６】
前記第２成分は実質上空気を含むことを特徴とする請求項２３記載の燃料電池システム。
【請求項２７】
前記少なくとも１個の電子部品はＣＰＵを備え、前記携帯電子装置が前記ＣＰＵによって発生される熱をチャンネルで取り去るために前記ＣＰＵに隣接して配設された熱除去デバイスをさらに備え、前記燃料導管は、前記熱除去デバイスによってチャンネルで取り去られた熱が前記第１燃料成分を加熱するように、前記熱除去デバイスの近傍に配設されることを特徴とする請求項２３記載の燃料電池システム。
【請求項２８】
前記熱除去デバイスの近傍に配設された熱交換器をさらに特徴とし、前記燃料導管は、前記熱交換器を通る前記熱除去デバイスによってチャンネルで取り去られた熱によって加熱されることを特徴とする請求項２７記載の燃料電池システム。
【請求項２９】
前記第２燃料成分を前記燃料電池中の前記第２電池室に輸送する前に、前記第２燃料成分を加熱する手段をさらに特徴とする請求項２３記載の燃料電池システム。
【請求項３０】
それが使用されるとき熱を生成するデータ処理用のＣＰＵと、
前記ＣＰＵによって生成された熱の少なくとも一部をチャンネルで取り去るために前記ＣＰＵの近傍に配設された熱除去手段と、
第１液体燃料成分を収容するための第１電池室と、
第２燃料成分を収容するための第２電池室と、
前記第１および第２燃料成分の少なくとも１種を活性化して前記電気を発生するために前記第１電池室と前記第２電池室のあいだに配設されたメンブレン電極組み立て体とを備える、少なくとも前記ＣＰＵによって使用される電気を発生する燃料電池と、
前記第１および第２燃料成分の少なくとも１種を貯蔵するための燃料補給ユニットと、
前記第１および第２燃料成分の少なくとも１種を前記燃料補給ユニットから前記燃料電池に輸送するための、前記補給ユニットと前記燃料電池を動作上接続する燃料導管とを備え、前記燃料導管の少なくとも一部は、前記第１および第２燃料成分の少なくとも１種が前記燃料電池に輸送されるあいだに、前記熱除去手段によってチャンネルで取り去られた熱が前記第１および第２燃料成分の少なくとも１種の少なくとも一部の温度を上昇させるように、前記熱除去手段の近傍に配設されることを特徴とする携帯電子装置。
【請求項３１】
ラップトップコンピュータを含む請求項３０記載の携帯電子装置。
【請求項３２】
タブレットコンピュータを含む請求項３０記載の携帯電子装置。
【請求項３３】
ノートブックコンピュータを含む請求項３０記載の携帯電子装置。
【請求項３４】
前記第１および第２燃料成分の少なくとも１種は実質上アルコールと水の混合物を含み、前記第１および第２燃料成分の異なる１種は実質上空気を含む請求項３０記載の携帯電子装置。
【発明の詳細な説明】
【技術分野】
【０００１】
本発明は、全体的に携帯電子装置中の燃料電池の使用に関し、さらに詳細には、燃料電池の運転効率の改善に関する。
【背景技術】
【０００２】
燃料電池は、バッテリーのように働くが、燃料が連続して電池に供給される限り寿命が尽きることがなく、充電する必要もない。直接メタノール燃料電池（ＤＭＦＣ）において、メタノールは燃料として使用され、燃料電池の一方の側に投入され、他の側には空気が循環される。２つの側はメンブレン電極組み立て体（ＭＥＡ）によって分離され、２個の電極間に挟まれたプロトン交換メンブレン（ＰＥＭ）を有する。図１に示すように、燃料電池１２０はアノード側１２１を有し、メタノール（ＭｅＯＨ）と水（Ｈ2Ｏ）（液体メタノールとも呼ばれる）がアノード（−）の周囲を循環する。カソード側１２２には空気がカソード（＋）の周囲を循環する。ＭＥＡの触媒作用活性化によって、液体メタノールからの水素原子がプロトン（Ｈ＋）と電子（示されない）に分離する。電子は燃料電池によって提供される電気の源になる。いくつかのプロトンはメンブレン組み立て体を通ってカソード側１２２へ移動し、そこで酸素と結合して水になる。アノード側で消費された燃料の副生成物ＣＯ2は、燃料電池から容易に排気され、カソード側の副生成物、水は適切に取り去らなければならない。
【０００３】
充電可能なバッテリーよりも燃料電池が有利である主な点は、燃料電池が充電することなく一般により長時間運転できることである。さらに、燃料電池の「充電」は、液体メタノールを再装填することによって殆ど瞬間的に行うことができる。対照的に、バッテリーの充電は完了まで数時間かかる。
【０００４】
現在、直接メタノール燃料電池の動作効率は、特に燃料の温度がある範囲以下になるとき一般に低い。したがって、動作効率を改善するために、燃料電池の温度を高めることが有利であり望ましい。
【発明の開示】
【０００５】
本発明の主な目的は、ラップトップＰＣ、ノートブックＰＣ、タブレットＰＣ等、携帯装置中の直接メタノール燃料電池の動作効率を改善することである。この目的は、携帯装置の電気的および／または電気部品によって発生した熱を用いて燃料電池に使用する液体メタノールを加熱し、または燃料電池自体を実質上全体的に暖めることによって達成することができる。
【０００６】
したがって、本発明の第１の態様によって、携帯電子装置中の燃料電池の動作効率を改善する方法が提供され、燃料電池は、
燃料成分を収容するための電池室と、
燃料成分を活性化して携帯電子装置中に電気を発生するために電池室に隣接して配設された燃料活性化ユニットとを備える。方法は、
加熱された燃料部を提供するために燃料成分の少なくとも一部を加熱する工程と、
活性化のために、加熱された燃料部を電池室中の燃料活性化ユニットに投入する工程とを含む。
【０００７】
燃料電池が、
さらに他の燃料成分を収容するためのさらに他の電池室と、燃料電池室の異なる側に電池室に隣接して配設されたさらに他の燃料活性化ユニットをさらに備えるとき、方法は、
加熱されたさらに他の燃料部を提供するために、さらに他の燃料成分の少なくとも一部を加熱する工程と、
さらに加熱された燃料部をさらに他の電池室中の燃料活性化ユニットに投入する工程とをさらに含む。
【０００８】
燃料成分は実質上メタノールなどのアルコールと水の混合物を含み、さらに他の成分は実質上空気を含む。活性化ユニットは電池室中のアルコールを活性化するためのメンブレン電極組み立て体を備える。
【０００９】
加熱された燃料部は実質上５０℃〜８５℃またはそれ以上の温度範囲であるがアルコールの蒸発温度以下の温度であることが有利である。
【００１０】
携帯電子装置は、熱を発生するＣＰＵなどの少なくとも１個の電子部品、および電子部品から熱の少なくとも一部をチャンネルで取り去るために電子部品に対して配設されたヒートシンクなどの熱除去デバイスを備え、熱除去デバイスによってチャンネルで取り去られた熱が前記加熱に使用されることが好ましい。
【００１１】
携帯電子装置は、燃料成分を貯蔵し、補給ユニットと電池室を動作上接続する燃料導管を経由して燃料成分を燃料電池中の燃料室に輸送するための補給ユニットを有することが有利である。燃料成分が燃料電池中の電池室に運ばれるとき、燃料成分の一部は燃料導管によって加熱されることが好ましい。燃料導管の少なくとも一部は、熱除去デバイスによってチャンネルで取り去られた熱が燃料導管中の前記燃料成分の一部を熱交換器によって加熱するように、熱除去デバイスの近傍に配設された熱交換器中に配設されることが有利である。
【００１２】
代りに、熱交換器は、熱除去デバイスによってチャンネルで取り去られた熱が伝導によって熱交換器を加熱するように、熱除去デバイスに接触して配設される。
【００１３】
代りに、熱交換器は、熱除去デバイスによってチャンネルで取り去られた熱が輻射または対流によって熱交換器を加熱するように、熱除去デバイスに隣接して配置される。
【００１４】
方法は、
熱除去デバイスによってチャンネルで取り去られた熱を用いて、副生成物の水の少なくとも一部をさらに他の電池室から除去する工程をさらに含むことが有利である。
【００１５】
本発明の第２態様によれば、携帯電子装置に使用するための燃料電池システムが提供され、携帯電子装置は、熱を発生する少なくとも１個の電子部品を備える。燃料電池システムは、
第１燃料成分を収容するための第１電池室と、
第２燃料成分を収容するための第２電池室と、
第１および第２燃料成分の少なくとも１種を活性化して電気を発生するために第１電池室と第２電池室のあいだに配設されたメンブレン電極組み立て体とを含む燃料電池と、
第１成分を貯蔵するための燃料補給ユニットと、
第１燃料成分を燃料補給ユニットから燃料電池に輸送するための、補給ユニットと燃料電池を動作上接続する燃料導管とを備え、燃料導管の少なくとも一部は、第１燃料成分が燃料導管中を輸送されるあいだに、前記少なくとも１個の電子部品によって発生した熱が第１燃料成分の少なくとも一部の温度を上昇させるように、前記少なくとも１個の電子部品の近傍に配設される。
【００１６】
第１燃料成分は実質上アルコールと水の混合物を含み、第２燃料成分は実質上空気を含む。
【００１７】
本発明の第３態様によれば、
その使用中に熱を生成するデータ処理のためのＣＰＵと、
ＣＰＵによって生成された熱の少なくとも一部をチャンネルで取り去るためにＣＰＵの近傍に配設された熱除去手段と、
第１燃料成分を収容するための第１電池室と、
第２燃料成分を収容するための第２電池室と、
第１および第２燃料成分の少なくとも一部を活性化して前記電気を発生するために第１電池室と第２電池室のあいだに配設されたメンブレン電極組み立て体とを備える、少なくともＣＰＵによって使用される電気を発生するための燃料電池と、
前記第１および第２燃料成分の少なくとも１種を貯蔵するための燃料補給ユニットと、
前記第１および第２燃料成分の少なくとも１種を燃料補給ユニットから燃料電池に輸送するための、補給ユニットと燃料電池を動作上接続する燃料導管とを備え、燃料導管の少なくとも一部は、前記第１および第２燃料成分の少なくとも１種が燃料電池へ輸送されるあいだに、熱除去手段によってチャンネルで取り去られた熱が前記第１および第２燃料成分の少なくとも１種の少なくとも一部の温度を上昇させるように、前記少なくとも１個の電子部品の近傍に配設される、携帯電子装置が提供される。
【００１８】
本発明は図２ａ〜８と共に行う説明を読み取ることによって明らかになるであろう。
【発明を実施するための最良の形態】
【００１９】
ラップトップＰＣまたはタブレットＰＣなどの携帯装置の演算速度がより速くなると、携帯装置中のＣＰＵおよび他の電子部品によって発生する熱がより問題になる。ほとんどの携帯装置では、ヒートシンクなどの１種または複数の熱伝導性媒体がＣＰＵから熱を取り去るために用いられ、ファンまたはブロアが熱を携帯装置の外部へ排気するのに用いられる。
【００２０】
直接メタノール燃料電池（ＤＭＦＣ）の動作効率は燃料電池の温度に依存することが知られている。本発明は、望ましくない熱を用いて、燃料電池の電極の周囲を循環する液体メタノールおよび空気の温度を上昇させる。そのようにして、動作効率を改善することができる。同時に、携帯装置中の望ましくない熱をいくらか低減することができる。さらに、携帯装置中のＣＰＵのヒートシンクおよび他の電子部品の周囲の熱い空気は、副生成物の水を蒸発させて水蒸気を携帯装置から取り去るのに用いることができる。また、この工程は携帯装置の内部温度を下げる助けになる。
【００２１】
本発明によってＰＣ燃料電池の効率を改善する方法は、図２ａに示される。図に示すように、燃料補給ユニット１１０は液体メタノール（ＭｅＯＨプラスＨ2Ｏ）をＤＭＦＣ１２０のアノード側１２１へ供給するために用いられる。ラップトップまたはノートブックＰＣ２００によって発生した熱は、燃料電池１２０へ燃料を供給する前に、液体メタノールを加熱するために用いられる。さらに、アノード側１２２の電極の周囲を循環するために用いられる空気も、ラップトップＰＣ２００によって発生した熱によって加熱される。アノード側の副生成物ＣＯ2は燃料電池１２０から排気されるが、カソード側の副生成物のＨ2Ｏは燃料電池１２０からチャンネル１５０を経由して補給ユニット１１０へ取り去られる。
【００２２】
熱をさらに効率的に用いるために、図２ｂに示すように、ラップトップＰＣによって発生した熱の熱エネルギーを、熱交換器を通るチャンネルで運ばれる燃料または空気へ導くために、熱交換器１３０が用いられる。熱交換器１３０はヒートシンク２１０上に直接配設されることが有利である。図２ｂに示すように、液体メタノールは補給ユニット１１０から導入導管１３１を経由して熱交換器１３０内部のチャンネル１３４へ運ばれる。それが熱交換器１３０中のチャンネル１３４を通過した後、加熱された液体メタノールは導出導管１３２を経由して燃料電池１２０へ供給される。理想的には、加熱された液体メタノールは実質上５０〜６０℃の範囲である。しかし、加熱された液体メタノールの温度は、約６０℃、しかし９０℃以下とすることができる。
【００２３】
燃料電池１２０がラップトップＰＣ２００へ電源を提供するために用いられるとき、燃料電池１２０は、図３ａ〜３ｄに示すように、ラップトップＰＣ２００の近傍に配設することが好ましい。燃料補給ユニット１１０は燃料電池１２０に隣接して配設することが有利である。また、図３ａ〜３ｃは燃料電池モジュール１００中で燃料電池１２０および補給ユニット１１０と共に用いられる他の部品も示す。図３ａに示すように、ラップトップＰＣ２００は表示部分２０４とデータ処理部分２０６を備える。燃料電池モジュールは空気ポンプ１４０、ファンもしくはブロア２２０、熱交換器１３０、および様々な導管もしくはチャンネル１３１、１３２、１５０を含む。図３ｂに示すように、保護カバーもしくは筐体１６０が燃料電池モジュール１００の上に配置されることが有利である。筐体１６０は、複数の排気口１６１を有し、空気に燃料電池モジュール１００の周囲を循環させる。
【００２４】
図３ｂのラップトップＰＣシステムの分解図が図３ｃに示される。図３ｃに示すように、ファン２２０および熱交換器１３０の一部は、ヒートシンク２１０の温度を低下させるためにヒートシンク２１０の上に配設される。ヒートシンク２１０は、たとえばラップトップＰＣ２００中のＣＰＵ（示されない）に接触して配置することができる。図３ａ〜３ｃは、ラップトップＰＣ２００に関して燃料電池モジュール１００およびその部品の位置を示すために用いていることを理解すべきである。図３ａおよび３ｂにおいて、表示部分２０４はデータ処理部分２０６の下部にあるように見える。しかし、ラップトップＰＣ２００が使用されるとき、図３ｄに示すように、燃料電池モジュール１００は筐体１００と共にラップトップＰＣ２００の下部に位置すべきである。図に示すように、ラップトップＰＣ２００は、開いた位置にあり、表示部分２０４上の表示パネル２０５、およびデータ処理部分２０６上のキーボード２０７を示す。
【００２５】
燃料補給ユニット１１０は液体メタノールを貯蔵するためのバッグ１１１を含むことが有利である。燃料バッグは図４の燃料補給ユニット１１０の切断図および図５の断面図に見ることができる。図５に示すように、燃料バッグ１１１は、その収縮圧力を用いて、液体メタノールを安全弁１１４を経由して燃料電池１２０へ押し出すことができるように、収縮可能である。収縮可能な燃料バッグ１１１の外側の室１１８は燃料電池によって生成された水を貯蔵するのに用いることができる。この副生成物はチャンネル１５０によってノズル１１６を通して送達される（図４参照）。
【００２６】
補給ユニット１１０からの液体メタノールは、図２ｂに示すように、熱交換器１３０中で加熱されることが有利であるが、燃料電池１２０中のカソード反応に必要な空気は他の手段によって同様に加熱することができる。たとえば、燃料電池１２０のカソード側１２２に供給される空気は、図６ａに示すように、ファン２２０によって供給することができる。加熱された空気は、一般にＣＰＵヒートシンク２１０およびファン２２０など他の熱生成部品の周囲で入手可能である。したがって、空気ポンプ１４０は、図６ｂに示すように、加熱された空気を燃料電池１２０のカソード側１２２へ供給するのに用いることもできる。空気ポンプ１４０は、加熱された空気を燃料電池１２０のカソード側１２２へ送達するためにファン２２０と組み合わせて用いることができる。
【００２７】
液体メタノールは、図２ｂに示すように、熱交換器中の伝導によって加熱されることが好ましい。しかし、液体メタノールは輻射または対流によって加熱することもできる。図７ａに示すように、折り畳まれた配管１３８をヒートシンク２１０の頂部に配置し、配管中の液体メタノールを加熱することができる。代りに、図７ｂに示すように、熱がヒートシンクから燃料電池へ伝導によって伝達されるように、燃料電池１２０の少なくとも一部をヒートシンク２１０の頂部に直接配置することができる。また、燃料電池１２０をヒートシンク２１０の上部に配置し、燃料電池１２０を輻射および対流によって加熱することもできる。
【００２８】
様々な加熱部品を含んで、燃料電池モジュール１１０は、タブレットＰＣ２０２等の他の携帯電子装置へ電源を供給するために用いることができる。図８に示すように、表示部分およびデータ処理部分は物理的に一体化することができる。たとえば、燃料電池をタブレットＰＣ２０２の下部に配置することが可能である。ヒートシンク２１０、ファン２２０、空気ポンプ１４０、熱交換器１３０および筐体１６０の配置は実質上３ａ〜３ｃ、および６ａ〜７ｃと同様にすることができる。しかし、それらの部品の配置は異なることができる。いずれにしても、ＣＰＵおよび他の部品によって発生した熱を用いて燃料電池の動作効率を改善することはやはり適用可能である。
【００２９】
したがって、その好ましい実施形態を参照して本発明を説明したが、当業者であれば、本発明の範囲から逸脱することなく、その形状および詳細において、前述および様々な他の変更、省略および偏向を加えることができることを理解するであろう。
【図面の簡単な説明】
【００３０】
【図１】直接メタノール燃料電池を示す概要図である。
【図２ａ】本発明の好ましい実施形態による、ＤＭＦＣの動作効率を改善する方法を示す概要図である。
【図２ｂ】本発明による、液体メタノールの加熱に使用される熱交換器を示す概要図である。
【図３ａ】携帯ＰＣに配設される燃料貯蔵器と共に燃料電池を示す概要図である。
【図３ｂ】燃料電池組み立て体を被覆するのに使用される筐体を示す概要図である。
【図３ｃ】ＰＣ／燃料電池組み立て体の分解図である。
【図３ｄ】ＰＣ使用中のＰＣと燃料電池組み立て体の相対位置を示す概要図である。
【図４】収縮性燃料バッグを示す燃料補給ユニットの切断図である。
【図５】燃料補給ユニットとその中に配設された燃料バッグの断面図である。
【図６ａ】熱空気をヒートシンクから燃料電池のカソード側へ導くのに使用されるファンを示す概要図である。
【図６ｂ】熱空気を携帯ＰＣから燃料電池のカソード側へ導くのに使用されるポンプを示す概要図である。
【図７ａ】対流および輻射によって加熱されるヒートシンクの頂部に配設された燃料導管を示す概要図である。
【図７ｂ】熱伝導によって加熱されるヒートシンク上に配設された燃料電池を示す概要図である。
【図７ｃ】輻射によって加熱されるヒートシンク上方に配設された燃料電池を示す概要図である。
【図８】タブレットＰＣで使用するための燃料電池の配置を示す概要図である。
【図１】
2007527594.tif 000003
【図５】
2007527594.tif 000004
2007527594.tif 000005
2007527594.tif 000006
2007527594.tif 000007
2007527594.tif 000008
【図４】
2007527594.tif 000009
【図８】
2007527594.tif 000010
2007527594.tif 000011
2007527594.tif 000012
2007527594.tif 000013
2007527594.tif 000014
【国際調査報告】
2007527594.tif 000015
2007527594.tif 000016